(57)【特許請求の範囲】
【請求項１】
地上デジタルテレビ放送を複数の放送規格で視聴可能とするテレビ受信装置であって、
受信した電波の復調処理を行うチューナーが、前記各放送規格に応じて複数種類設けられているチューナー部と、
前記複数種類のチューナーにチャンネルスキャンを実行させる制御部と、
を備え、
前記制御部は、前記複数種類のチューナーにチャンネルスキャンを順番に実行させ、チャンネルを検出可能な前記チューナーの種類を特定するマルチスキャンモードを実行可能であり、前記複数種類のチューナーのうちチャンネルスキャンによってチャンネルを検出することができたチューナーに、受信した電波の復調処理を実行させ、
前記制御部は、チャンネルを検出可能な前記チューナーの種類を特定した時点で、前記マルチスキャンモードを終了することを特徴とするテレビ受信装置。
【請求項２】
前記チューナーの種類ごとに、視聴中の第１放送局から送信された電波を受信するメインチューナーと、前記第１放送局以外の第２放送局から送信された電波を受信するサブチューナーとが設けられており、
前記制御部は、前記サブチューナーで受信した電波の品質レベルが前記メインチューナーで受信した電波の品質レベルよりも高い場合に、前記第２放送局から送信された電波による視聴に切り替える請求項１に記載のテレビ受信装置。
【請求項３】
前記制御部は、前記サブチューナーで受信した電波の品質レベルが前記メインチューナーで受信した電波の品質レベルよりも所定値だけ高い状態が所定時間継続した場合に、前記第２放送局から送信された電波による視聴に切り替える請求項２に記載のテレビ受信装置。                                                                         
【発明の詳細な説明】
【技術分野】
【０００１】
本発明は、地上デジタルテレビ放送を複数の放送規格で視聴可能とするテレビ受信装置に関する。
【背景技術】
【０００２】
地上波テレビ放送は、世界的にアナログ放送からデジタル放送への移行が進行しているが、地上デジタルテレビ放送における放送規格は全世界で統一されておらず、日本方式（ＩＳＤＢ−Ｔ）、ブラジル方式（ＩＳＤＢ−ＴＢ）、欧州方式（ＤＶＢ−Ｔ）、第２世代欧州方式（ＤＶＢ−Ｔ２）、米国方式（ＡＴＳＣ）および中国方式（ＤＴＭＢ）といった複数の規格が存在する。このため、例えば世界中を航海する船舶で地上デジタルテレビ放送を視聴しようとする場合、航行している地域や寄港地によって放送規格が異なるという事態が生じる。このような事態に備え、１台のテレビ受信装置で世界各地でのテレビ放送の視聴を可能とするものとして、例えば特許文献１に記載のテレビ受信装置がある。
【先行技術文献】
【特許文献】
【０００３】
【特許文献１】特開２００６−８６７３０号公報
【発明の概要】
【発明が解決しようとする課題】
【０００４】
しかしながら、特許文献１のテレビ受信装置は、ＧＰＳの電波を受信することで位置を特定し、その位置情報に基づいて放送規格（変調方式）を特定するものであるため、次のような問題があった。第１に、ＧＰＳの電波を受信するための受信部が必要となり、テレビ受信装置のコスト増大を招来するおそれがあった。第２に、地上デジタルテレビ放送の電波に加えて、ＧＰＳの電波を受信する必要があるため、テレビ放送を視聴できる範囲が狭くなるおそれがあった。
【０００５】
本発明にかかるテレビ受信装置は、上記課題に鑑みてなされたものであって、ＧＰＳの電波を利用せずに、地上デジタルテレビ放送を複数の放送規格で視聴可能とすることを目的とする。
【課題を解決するための手段】
【０００６】
本発明は、地上デジタルテレビ放送を複数の放送規格で視聴可能とするテレビ受信装置であって、受信した電波の復調処理を行うチューナーが、前記各放送規格に応じて複数種類設けられているチューナー部と、前記複数種類のチューナーにチャンネルスキャンを実行させる制御部と、を備え、前記制御部は、前記複数種類のチューナーのうちチャンネルスキャンによってチャンネルを検出することができたチューナーに、受信した電波の復調処理を実行させることを特徴とする。
【発明の効果】
【０００７】
本発明にかかるテレビ受信装置のチューナー部には、受信した電波の復調処理を行うチューナーが、各放送規格に応じて複数種類設けられている。そして、複数種類のチューナーのうちチャンネルスキャンによってチャンネルを検出することができたチューナーに、受信した電波の復調処理を実行させるように制御部が構成されているため、ＧＰＳによる位置情報がなくとも、地上デジタルテレビ放送を複数の放送規格で視聴することができる。
【図面の簡単な説明】
【０００８】
【図１】テレビ受信装置の一実施形態の概略構成を示すブロック図である。
【図２】モニターに表示される画面の一例である。
【図３】マルチスキャンモードにおける制御部の処理を示すフローチャートである。
【図４】電波監視制御における制御部の処理を示すフローチャートである。
【発明を実施するための形態】
【０００９】
（テレビ受信装置の構成）
以下、図面を参照しつつ、本発明にかかるテレビ受信装置の実施形態について説明する。図１は、テレビ受信装置の一実施形態の概略構成を示すブロック図である。テレビ受信装置１は、主に、アンテナ入力端子１０、チューナー部２０、制御部３０、入力受付部４０、記憶部５０、映像出力端子６０および音声出力端子７０を有して構成されている。アンテナ８０で受信した地上デジタルテレビ放送の電波は、テレビ受信装置１によって適切に処理されることによって、モニターやスピーカー等からなる出力手段１００での視聴が可能となる。
【００１０】
アンテナ入力端子１０は、アンテナ８０が接続される端子である。アンテナ８０で受信した電波は、アンテナ入力端子１０を介してチューナー部２０へ送られる。
【００１１】
チューナー部２０には、各放送規格に応じて複数種類のチューナー２１〜２４が設けられている。ＡＴＳＣチューナー２１は、米国方式（ＡＴＳＣ）に対応したチューナーであり、ＤＶＢ−Ｔ／Ｔ２チューナー２２は欧州方式（ＤＶＢ−Ｔ）および第２世代欧州方式（ＤＶＢ−Ｔ２）に対応したチューナーであり、ＤＴＭＢチューナー２３は中国方式（ＤＴＭＢ）に対応したチューナーであり、ＩＳＤＢ−Ｔ／ＴＢチューナー２４は日本方式（ＩＳＤＢ−Ｔ）およびブラジル方式（ＩＳＤＢ−ＴＢ）に対応したチューナーである。本実施形態では、後で説明する電波監視制御を行うため、各チューナー２１〜２４は、それぞれ２つずつ設けられている。
【００１２】
各チューナー２１〜２４は、ＲＦ（Radio Frequency）信号をＩＦ（Intermediate Frequency）信号に周波数変換する同調機能、各放送規格にて規定されている変調方式に応じてＩＦ信号を復調する復調機能、エラーの検出および訂正を行うエラー訂正機能等を有している。アンテナ入力端子１０から各チューナー２１〜２４に入力された信号は、最終的にＴＳ（Transport Stream）信号として制御部３０に出力される。
【００１３】
また、各チューナー２１〜２４は、地上デジタルテレビ放送を視聴できる可能性のある周波数（チャンネル）を検索するチャンネルスキャンを実行可能である。各チューナー２１〜２４は、チャンネルスキャンの結果、復調処理が可能なチャンネルを検出できたか否かに関するチャンネル検出可否情報を制御部３０に出力する。チャンネルスキャンで１つでも復調処理が可能なチャンネルを検出できた場合には、視聴できる可能性のあるチャンネルが見つかったことを表す可信号とともに、そのチャンネル周波数に関する情報が、制御部３０に出力される。一方、復調処理が可能なチャンネルを検出できなかった場合には、視聴できる可能性のあるチャンネルが見つからなかったことを表す否信号が、制御部３０に出力される。なお、この他にも、各チューナー２１〜２４から制御部３０へは、受信した電波の品質レベル（例えばＣＮ比）に関する電波品質情報等も出力される。
【００１４】
制御部３０は、チューナー部２０から送られてきた信号に基づいて各種処理を行う部位であり、ＤＥＭＵＸ（デマルチプレックス）３１や映像・音声処理部３２等を有する。ＤＥＭＵＸ３１は、チューナー部２０から出力されたＴＳ信号から、映像データや音声データを分離抽出する。映像・音声処理部３２は、ＤＥＭＵＸ３１で分離抽出された符号化映像データや符号化音声データを復号する。なお、制御部３０は、この他にも、チューナー部２０、入力受付部４０および記憶部５０から入力される情報に基づいて、後述する各種処理を実行する。
【００１５】
入力受付部４０は、入力手段９０により入力された情報を受け付けて、この情報を制御部３０へと送る。入力手段９０は、ユーザーがテレビ受信装置１に対して各種指示を与えるためのものであり、例えばリモートコントロールやタッチパネル等により構成される。
【００１６】
記憶部５０には、制御部３０が各種処理を実行するのに必要なデータやプログラムが格納されている。例えば、各放送規格で規定されている変調方式により変調された信号を復調するためのプログラム等が格納されている。また、チューナー部２０から送られてきたチャンネル情報等も、記憶部５０にて記憶可能となっている。
【００１７】
映像出力端子６０は、映像・音声処理部３２から送られてきた映像データを出力手段１００に出力するための端子である。また、音声出力端子７０は、映像・音声処理部３２から送られてきた音声データを出力手段１００に出力するための端子である。
【００１８】
以上のように構成されたテレビ受信装置１を用いて、地上デジタルテレビ放送を視聴する場合の一連の流れについて説明する。
【００１９】
ユーザーが地上デジタルテレビ放送の視聴を行おうとする場合、例えば、入力手段９０を用いた所定の操作によって、図２に示すような画面を出力手段１００のモニターに表示させることができる。なお、記憶部５０に記憶されているチャンネル情報に基づいてもテレビ放送を視聴できない場合に、自動的にこのような画面が表示されるようにしてもよい。また、このような画面を表示する表示部は、出力手段１００以外であっても構わない。
【００２０】
ユーザーが現在地における放送規格を把握している場合には、入力手段９０によってその放送規格が選択される。例えば、現在地では米国方式（ＡＴＳＣ）のテレビ放送が視聴可能であるとわかっている場合には、図２に示すように、「北米、韓国など（ＡＴＳＣ）」を選択する。すると、制御部３０は、ＡＴＳＣチューナー２１を作動させて、ＡＴＳＣチューナー２１によるチャンネルスキャンが開始される。その結果、現在地において視聴できる可能性のあるチャンネル周波数に関する情報が記憶部５０に記憶され、以降、ＡＴＳＣチューナー２１によるテレビ放送の視聴が可能となる。
【００２１】
一方、ユーザーが現在地における放送規格を把握していない場合には、図２に示す画面において「すべてスキャン」を選択することで、制御部３０によってマルチスキャンモードが実行される。このマルチスキャンモードとは、アンテナ８０によって受信された電波のチャンネルスキャンを、各チューナー２１〜２４に順番に実行させ、いずれのチューナー２１〜２４によって復調処理が可能なチャンネルを検出できるかを特定するモードである。以下、マルチスキャンモードについて説明する。
【００２２】
（マルチスキャンモード）
図３は、マルチスキャンモードにおける制御部の処理を示すフローチャートである。マルチスキャンモードが選択されると、まず、制御部３０は受信した電波のチャンネルスキャンをＡＴＳＣチューナー２１に実行させ、ＡＴＳＣチューナー２１からチャンネル検出可否情報を受け取る（ステップＳ１０１）。その結果、チャンネル検出可否情報が可信号であった場合には、制御部３０は、ＡＴＳＣチューナー２１から視聴できる可能性のあるチャンネル周波数に関する情報を受け取り、その情報を記憶部５０に記憶させる（ステップＳ１０２）。そして、マルチスキャンモードを終了する。
【００２３】
一方、ステップＳ１０１にて、チャンネル検出可否情報が否信号であった場合には、制御部３０は、受信した電波のチャンネルスキャンをＤＶＢ−Ｔ／Ｔ２チューナー２２に実行させ、ＤＶＢ−Ｔ／Ｔ２チューナー２２からチャンネル検出可否情報を受け取る（ステップＳ１０３）。その結果、チャンネル検出可否情報が可信号であった場合には、制御部３０は、ＤＶＢ−Ｔ／Ｔ２チューナー２２から視聴できる可能性のあるチャンネル周波数に関する情報を受け取り、その情報を記憶部５０に記憶させる（ステップＳ１０４）。そして、マルチスキャンモードを終了する。
【００２４】
以下同様に、ステップＳ１０３にて、チャンネル検出可否情報が否信号であった場合には、制御部３０は、受信した電波のチャンネルスキャンをＤＴＭＢチューナー２３に実行させ、ＤＴＭＢチューナー２３から復調処理可否情報を受け取る（ステップＳ１０５）。その結果、チャンネル検出可否情報が可信号であった場合には、制御部３０は、ＤＴＭＢチューナー２３から視聴できる可能性のあるチャンネル周波数に関する情報を受け取り、その情報を記憶部５０に記憶させる（ステップＳ１０６）。そして、マルチスキャンモードを終了する。
【００２５】
さらに、ステップＳ１０５にて、チャンネル検出可否情報が否信号であった場合には、制御部３０は、受信した電波のチャンネルスキャンをＩＳＤＢ−Ｔ／ＴＢチューナー２４に実行させ、ＩＳＤＢ−Ｔ／ＴＢチューナー２４から復調処理可否情報を受け取る（ステップＳ１０７）。その結果、チャンネル検出可否情報が可信号であった場合には、制御部３０は、ＩＳＤＢ−Ｔ／ＴＢチューナー２４から視聴できる可能性のあるチャンネル周波数に関する情報を受け取り、その情報を記憶部５０に記憶させる（ステップＳ１０８）。そして、マルチスキャンモードを終了する。
【００２６】
ちなみに、ステップＳ１０７にて、チャンネル検出可否情報が否信号であった場合には、視聴できる可能性のあるチャンネルがないことになり、記憶部５０にチャンネル周波数に関する情報が記憶されることはないまま、制御部３０はマルチスキャンモードを終了する。
【００２７】
マルチスキャンモードによって、各チューナー２１〜２４からチャンネル検出可否情報を受け取り、この情報に基づいて、チューナー２１〜２４のうちいずれによって視聴できる可能性のあるチャンネルの検出が可能であるかが特定できると、制御部３０は、そのチューナーによって受信した電波の復調処理を行うように決定し、記憶部５０に記憶されたチャンネル情報に基づいて、テレビ放送の再生を行う。
【００２８】
（電波監視制御）
本実施形態のテレビ受信装置１は、各チューナー２１〜２４が、メインチューナーおよびサブチューナーの２つずつ設けられており、これによって複数の放送局（親局および中継局を含む）からの電波の品質レベルを監視する電波監視制御を実行可能となっている。ここで、メインチューナーとは、視聴中の放送局（以下、便宜的に「第１放送局」という）から送信された電波を受信するチューナーであり、サブチューナーとは、テレビ受信装置１により受信される電波の品質レベルが第１放送局の次に高い電波を送信している放送局（以下、便宜的に「第２放送局」という）から送信された電波を受信するチューナーである。
【００２９】
図４は、電波監視制御における制御部の動作を示すフローチャートである。電波監視制御においては、制御部３０は、所定の時間間隔で、メインチューナーが現時点で受信しているチャンネルの電波のＣＮ比と、サブチューナが受信するメインチューナーと同一のチャンネルの電波、または、同一のチャンネルではないが同じ系列に属する放送局のチャンネルの電波のＣＮ比との比較を行う。具体的には、サブチューナの受信電波のＣＮ比からメインチューナの受信電波のＣＮ比を減じた差が、例えば５以上であるか否かを判断する（ステップＳ２０１）。その結果、差が５未満であれば、特別な処理を行うことなく、ステップＳ２０１を所定の時間間隔で繰り返し実行する。
【００３０】
一方、ステップＳ２０１において、差が５以上であった場合には、制御部３０に内蔵されているタイマーを０にセットし、カウントを開始する（ステップＳ２０２）。そして、タイマーによるカウントが、例えば１０秒以上となったか否かを適宜判断する（ステップＳ２０３）。ここで、カウントが１０秒未満の場合には、再度、サブチューナの受信電波のＣＮ比からメインチューナの受信電波のＣＮ比を減じた差が５以上であるか否かを判断する（ステップＳ２０４）。
【００３１】
ステップＳ２０３、Ｓ２０４が繰り返される過程において、ステップＳ２０４において、差が５未満となった場合には、ステップＳ２０１から再度やり直す。一方、ステップＳ２０３、Ｓ２０４が繰り返される過程において、ステップＳ２０３においてカウントが１０秒以上と判断された場合、すなわち、サブチューナの受信電波のＣＮ比からメインチューナの受信電波のＣＮ比を減じた差が５以上である状態が１０秒以上継続した場合には、制御部３０は、第２放送局から送信された電波による視聴に切り替える（ステップＳ２０５）。具体的には、メインチューナーによって第２放送局からの電波を受信するように切り替え、これを視聴できるようにする。あるいは、メインチューナーの役割（放送視聴用）とサブチューナーの役割（電波探索用）を切り替え、これまでサブチューナーであったものによって第２放送局からの電波を視聴するようにしてもよい。
【００３２】
（効果）
本実施形態のテレビ受信装置１のチューナー部２０には、受信した電波の復調処理を行うチューナー２１〜２４が、各放送規格に応じて複数種類設けられている。そして、複数種類のチューナーのうちチャンネルスキャンによってチャンネルを検出することができたチューナーに、受信した電波の復調処理を実行させるように制御部が構成されている。したがって、テレビ受信装置１によれば、ＧＰＳによる位置情報がなくとも、地上デジタルテレビ放送を複数の放送規格で視聴することができるので、コスト低減や視聴可能範囲の拡大を図ることができる。
【００３３】
また、本実施形態の制御部３０は、複数種類のチューナー２１〜２４にチャンネルスキャンを順番に実行させ、視聴できる可能性のあるチャンネルをチューナー２１〜２４のうちいずれで検出できるかを特定するマルチスキャンモードを実行可能に構成されている。このようなマルチスキャンモードを実行すれば、ユーザーが現在地における放送規格を知らなくとも、容易に地上デジタルテレビ放送の視聴を行うことが可能となる。
【００３４】
また、制御部３０は、視聴できる可能性のあるチャンネルをチューナー２１〜２４のうちいずれで検出できるかを特定した時点で、マルチスキャンモードを終了する。このため、ユーザーが現在地における放送規格を知らない場合でも、地上デジタルテレビ放送の視聴を迅速に行うことが可能となる。
【００３５】
また、本実施形態では、各チューナー２１〜２４ごとに、視聴中の第１放送局から送信された電波を受信するメインチューナーと、第１放送局以外の第２放送局から送信された電波を受信するサブチューナーとが設けられており、制御部３０は、サブチューナーで受信した電波の品質レベルがメインチューナーで受信した電波の品質レベルよりも高い場合に、第２放送局から送信された電波による視聴に切り替えるように構成されている。かかる構成によれば、テレビ放送の視聴に最適な放送局が変化していく場合においても、制御部３０により自動的に最適な放送局から送信される電波を受信でき、テレビ放送の継続的な視聴が可能となる。
【００３６】
さらに、本実施形態においては、制御部３０は、サブチューナーで受信した電波の品質レベルがメインチューナーで受信した電波の品質レベルよりも所定値（例えば５）だけ高い状態が所定時間（例えば１０秒）継続した場合に、第２放送局から送信された電波による視聴に切り替えるようにしている。したがって、例えば、メインチューナーによる受信電波の品質レベルとサブチューナーによる受信電波の品質レベルとに大差がないエリアで、視聴用電波が頻繁に切り替わったり、ノイズの影響により視聴用電波が頻繁に切り替わったりするようなことはない。すなわち、サブチューナーのほうがメインチューナーよりも安定的に高い品質レベルの電波を受信している状態となってから、第２放送局から送信された電波による視聴に切り替えられるので好適である。
【００３７】
［他の実施形態］
なお、本発明は上記実施形態に限定されるものではなく、その趣旨を逸脱しない限りにおいて上記実施形態の要素を適宜組み合わせまたは種々の変更を加えることが可能である。
【００３８】
例えば、上記実施形態のチューナー部２０には、ＡＴＳＣチューナー２１、ＤＶＢ−Ｔ／Ｔ２チューナー２２、ＤＴＭＢチューナー２３、ＩＳＤＢ−Ｔ／ＴＢチューナー２４がそれぞれ２つずつ搭載されるものとしたが、チューナー部２０に搭載されるチューナーの種類や個数は適宜変更が可能である。
【００３９】
また、上記実施形態のマルチスキャンモードでは、図３に示すように、ＡＴＳＣチューナー２１、ＤＶＢ−Ｔ／Ｔ２チューナー２２、ＤＴＭＢチューナー２３、ＩＳＤＢ−Ｔ／ＴＢチューナー２４の順番にチャンネルスキャンを実行させるものとしたが、この順番は適宜変更が可能である。
【００４０】
また、上記実施形態では、図３の画面で「すべてスキャン」が選択された場合に、マルチスキャンモードが実行されるものとしたが、マルチスキャンモードが実行されるのはこの場合に限定されない。例えば、図３の画面においてユーザーが特定の放送規格を選択した場合であっても、それが誤っており、チャンネルスキャンにより視聴できる可能性のあるチャンネルが検出できない場合には、自動的にマルチスキャンモードが実行されるようにしてもよい。あるいは、テレビ放送を視聴中に視聴が不可能となった場合に、自動的にマルチキャンモードが実行されるようにしてもよい。
【００４１】
また、上記実施形態の電波監視制御では、各チューナー２１〜２４を２つずつ設け、一方を放送視聴用のメインチューナーとし、他方を電波探索用のサブチューナーとするものとした。しかしながら、各チューナー２１〜２４を３つ以上ずつ設け、そのうち１つを放送視聴用のメインチューナー、残りを電波探索用のサブチューナーとすることも可能である。
【００４２】
また、上記実施形態の電波監視制御では、受信電波の品質レベルの指標としてＣＮ比を用いるものとしたが、ＣＮ比の代わりに、電界強度、エラーレート、あるいはデータ損失率等を用いてもよい。
【００４３】
また、上記実施形態では、図２に示すように、出力手段１００のモニターに表示される画面を介した指示によって、各チューナー２１〜２４による復調処理（チャンネルスキャン）を実行させるものとした。しかしながら、このような指示を、テレビ受信装置１に設けたボタン等の指示手段により行うようにしてもよい。
【００４４】
また、上記実施形態では、テレビ受信装置１とは別にアンテナ８０が設けられるものとしたが、アンテナ８０をテレビ受信装置１に一体的に設けるものとしてもよい。
【符号の説明】
【００４５】
１：テレビ受信装置
２０：チューナー部
２１〜２４：チューナー
３０：制御部
【図１】
0006522979.tif 000002
【図２】
0006522979.tif 000003
【図３】
0006522979.tif 000004
【図４】
0006522979.tif 000005